(57)【要約】【課題】本発明の課題は、複数のスイッチにアドレスを対応付ける作業を容易に行える操作端末器を提供することである。【解決手段】操作端末器２は、複数のスイッチ２２と、信号処理部２３と、複数のスイッチ２２から選択される設定対象に対応付けるアドレスを指定する設定信号を受け取る通信部２５と、複数の切替位置の間で移動可能な手動操作部２６１を有する切替部２６と、を備える。信号処理部２３は、複数のスイッチ２２のいずれかのスイッチ２２が操作されると、操作されたスイッチ２２に対応するアドレスを含む操作信号を出力する。信号処理部２３は、手動操作部２６１の位置に応じて複数のスイッチ２２から選択した設定対象に、通信部２５から受け取った設定信号で指定されたアドレスを対応付ける。【選択図】図７
2018182704.tif 000002
【特許請求の範囲】
【請求項１】
複数のスイッチと、
前記複数のスイッチのいずれかのスイッチが操作されると、操作されたスイッチに対応するアドレスを含む操作信号を出力する信号処理部と、
前記複数のスイッチから選択される設定対象に対応付けるアドレスを指定する設定信号を受け取る通信部と、
複数の切替位置の間で移動可能な手動操作部を有する切替部と、
を備え、
前記信号処理部は、前記手動操作部の位置に応じて前記複数のスイッチから選択した前記設定対象に、前記通信部から受け取った前記設定信号で指定されたアドレスを対応付けるように構成される、
操作端末器。
【請求項２】
前記複数のスイッチから選択された前記設定対象を示す表示部をさらに備える、
請求項１の操作端末器。
【請求項３】
前記信号処理部は、前記手動操作部の位置に応じて、前記複数のスイッチから２以上のスイッチを前記設定対象として選択するように構成される、
請求項１又は２の操作端末器。
【請求項４】
前記複数のスイッチは、所定方向に並ぶ複数の列を構成するように並び、
前記複数の切替位置は、少なくとも前記所定方向において異なる位置であり、
前記複数の切替位置の各々は、前記複数の列のうち、前記所定方向における順番が同じ列に対応付けられる、
請求項３の操作端末器。
【請求項５】
前面に、前記複数のスイッチ、前記通信部、前記信号処理部、及び前記切替部が取り付けられるボディと、
少なくとも前記通信部及び前記切替部を覆うように前記ボディの前記前面に取り付けられるカバーと、
を更に備える、
請求項１〜４のいずれか一つの操作端末器。
【請求項６】
前記通信部は、赤外線を媒体として前記設定信号を受け取る受光部を有する、
請求項１〜５のいずれか一つの操作端末器。
【請求項７】
前面に、前記複数のスイッチ、前記通信部、前記信号処理部、及び前記切替部が取り付けられるボディと、
前記複数のスイッチの前方にそれぞれ配置され前記ボディに対して前後方向に移動可能な複数のハンドルと、
前記ボディに固定されるばねブロックと、
を更に備え、
前記ばねブロックは、複数のばね片を含み、
前記複数のばね片は、前記複数のハンドルと前記複数のスイッチとの間にそれぞれ位置して前記複数のハンドルを前方に付勢する複数の主ばね片と、前記複数のスイッチのいずれとも重ならない複数の副ばね片と、を含み、
前記複数の副ばね片の各々は、前記複数の主ばね片のいずれかの隣に位置し、隣の主ばね片と同じ方向に突出する、
請求項１〜４のいずれか一つの操作端末器。
【請求項８】
前記ボディと前記ばねブロックとの少なくとも一方は、前記複数のハンドルの各々の第１端側の第１部位がそれぞれ後面に当たる複数の第１規制部を有し、
前記ボディと前記ばねブロックとの少なくとも一方は、前記複数のハンドルの各々の第２端端の第２部位がそれぞれ後面に当たる複数の第２規制部を有する、
請求項７の操作端末器。
【請求項９】
前記ばねブロックは、一端で、前記ボディに、前記ボディの前後方向に直交する方向の回りに、互いに異なる第１位置と第２位置との間で、回転可能に、取り付けられ、
前記第１位置は、前記ばねブロックを前記ボディから取り外し可能な位置であり、
前記第２位置は、前記ばねブロックが前記ボディに対する規定位置にある位置である、
請求項７又は８の操作端末器。
【請求項１０】
前面に、前記複数のスイッチ、前記通信部、前記信号処理部、及び前記切替部が取り付けられるボディと、
造営材に固定され、前記ボディより固い材料で形成される取付枠と、
を更に備え、
前記ボディは、前記ボディをその前後方向に貫通する貫通孔と、前記前後方向に交差する規定方向の両側から突出する一対の突起と、を有し、
前記取付枠は、前記貫通孔に対応するねじ孔と、前記一対の突起をそれぞれ支持する一対の支持部と、を有する、
請求項１〜４のいずれか一つの操作端末器。
【請求項１１】
前記一対の支持部の各々は、前記一対の突起のうちの対応するほうが挿入される空所を有する、
請求項１０の操作端末器。
【請求項１２】
前記空所は、
前記ボディの前後方向に延び、前端が開放された第１通路と、
前記ボディの前後方向及び前記規定方向に交差する方向に延び、第１端で前記第１通路に連結され、第２端が閉じた第２通路と、
を有する、
請求項１１の操作端末器。
【発明の詳細な説明】
【技術分野】
【０００１】
本発明は、操作端末器に関し、より詳細には、複数のスイッチを備える操作端末器に関する。
【背景技術】
【０００２】
特許文献１は、遠隔制御システム（監視制御システム）に用いられる端末器としての操作スイッチ（操作端末器）を開示する。特許文献１の操作スイッチは、負荷機器（負荷）を利用するユーザが操作する操作部（スイッチ）と、光アドレス設定器（設定器）から送信されたアドレスデータを受信する送受信部（通信部）とを有する。また、操作スイッチは、操作部の操作に応じた負荷機器の状態や当該操作スイッチの状態等を報知するＬＥＤ（Light Emitting Diode）等からなる状態報知部を有する。
【先行技術文献】
【特許文献】
【０００３】
【特許文献１】特開２００８−２９４８３４号公報
【発明の概要】
【発明が解決しようとする課題】
【０００４】
上述の特許文献１では、設定器からアドレスデータを操作スイッチに送信するとこで、各操作部に対して個別のアドレスが設定される。しかしながら、設定器で一度に設定可能なアドレスの数には限りがある。特許文献１では、送受信部（通信部）に対して操作部（スイッチ）が対応付けられているため、送受信部の数を増やせば、操作部の数を増やすことが可能である。しかしながら、送受信部が複数あると、どの送受信部にアドレスデータを送信すればよいかが分かり難くなる。また、設定器から送受信部に送ったアドレスデータ（設定信号）が別の送受信部で受信されてしまう可能性もある。
【０００５】
本発明の課題は、複数のスイッチにアドレスを対応付ける作業を容易に行える操作端末器を提供することである。
【課題を解決するための手段】
【０００６】
本発明の一態様に係る操作端末器は、複数のスイッチと、信号処理部と、前記複数のスイッチから選択される設定対象に対応付けるアドレスを指定する設定信号を受け取る通信部と、複数の切替位置の間で移動可能な手動操作部を有する切替部と、を備える。前記信号処理部は、前記複数のスイッチのいずれかのスイッチが操作されると、操作されたスイッチに対応するアドレスを含む操作信号を出力するように構成される。前記信号処理部は、前記手動操作部の位置に応じて前記複数のスイッチから選択した前記設定対象に、前記通信部から受け取った前記設定信号で指定されたアドレスを対応付けるように構成される。
【発明の効果】
【０００７】
本発明の一態様によれば、複数のスイッチにアドレスを対応付ける作業を容易に行えるという効果を奏する。
【図面の簡単な説明】
【０００８】
【図１】図１は、実施形態１の操作端末器を備える監視制御システムのブロック図である。
【図２】図２Ａは、上記操作端末器の前方斜視図であり、図２Ｂは、上記操作端末器の後方斜視図である。
【図３】図３は、上記操作端末器の前方分解斜視図である。
【図４】図４は、上記操作端末器の後方分解斜視図である。
【図５】図５は、上記操作端末器の本体ブロックの前方分解斜視図である。
【図６】図６は、上記本体ブロックの後方分解斜視図である。
【図７】図７は、上記操作端末器のブロック図である。
【図８】図８Ａは、上記本体ブロックのハンドルの前方分解斜視図である。図８Ｂは、上記ハンドルの後方分解斜視図である。
【図９】図９は、上記本体ブロックのばねブロックの前面図である。
【図１０】図１０Ａ及び図１０Ｂは、上記ばねブロックのボディへの取付方法の説明図である。
【図１１】図１１は、上記本体ブロックの説明図である。
【図１２】図１２は、図１１のＡ−Ａ線断面図である。
【図１３】図１３は、図１１のＢ−Ｂ線断面図である。
【図１４】図１４Ａ〜図１４Ｃは、上記本体ブロックの取付枠への取付方法の説明図である。
【図１５】図１５Ａ及び図１５Ｂは、複数のスイッチにアドレスを設定する方法の説明図である。
【図１６】図１６Ａは、実施形態２の操作端末器の前方斜視図であり、図１６Ｂは、上記操作端末器の後方斜視図である。
【図１７】図１７は、上記操作端末器の本体ブロックの説明図である。
【発明を実施するための形態】
【０００９】
１．実施形態
１．１  実施形態１
（１）監視制御システム
まず、本実施形態に係る操作端末器２が用いられる監視制御システム１０について説明する。
【００１０】
監視制御システム１０は、図１に示すように、親機としての伝送ユニット１と、子機としての複数（図１では２つ）の操作端末器２とを備える。また、監視制御システム１０は、複数（図１では２つ）の制御端末器３を更に備える。これらの伝送ユニット１、操作端末器２及び制御端末器３は、２線式（図１では１線で表す）の信号線７により互いに電気的に接続されている。
【００１１】
各制御端末器３には、図１に示すように、複数（図１では４つ）のリレー４が接続線８により電気的に接続されている。また、各リレー４は、対応する照明器具５と電源との間に電気的に接続されている。そして、各リレー４は、制御端末器３からの出力に従って、対応する照明器具５への給電経路を形成する状態と、対応する照明器具５への給電経路を遮断する状態とが切り替わる。つまり、制御端末器３は、リレー４を制御することによって、リレー４に電気的に接続された負荷（図１では照明器具５）の通電状態を制御する。図１では、左側の制御端末器３に電気的に接続されるリレー４及び照明器具５の図示を省略している。
【００１２】
各操作端末器２及び各制御端末器３には、固有のアドレスが設定される。伝送ユニット１は、これらのアドレスを用いて操作端末器２及び制御端末器３を個別に認識する。ここで、１つの操作端末器２に複数のスイッチ２２（図７参照）が備わっている場合には、複数のスイッチ２２の各々に固有のアドレスが設定される。同様に、１つの制御端末器３に複数のリレー４が接続されている場合には、複数のリレー４の各々に固有のアドレスが設定される。
【００１３】
監視制御システム１０では、例えば双極性（±２４Ｖ）の時分割多重信号からなる伝送信号によりデータの送受信が行われる。伝送ユニット１は、サイクリックに変更されるアドレスデータを含む伝送信号を信号線７に対して定期的に送出する。一方、操作端末器２及び制御端末器３は、伝送信号に含まれるアドレスデータが自己のアドレスに一致すると、伝送信号に含まれる制御データを取り込む。そして、操作端末器２及び制御端末器３は、伝送信号の信号返送期間において監視データを電流モード信号として返送する。
【００１４】
例えば、操作端末器２は、自己が備えるスイッチ２２の操作状態を監視データとして伝送ユニット１に返送する。制御端末器３は、対応する照明器具５の制御状態（リレー４のオンオフ）を監視データとして伝送ユニット１に返送する。電流モード信号とは、信号線７の線間を開放した状態と、線間に低インピーダンスの素子を接続した状態との切り替えによって生じる電流変化で表される信号である。
【００１５】
上記構成の監視制御システム１０によれば、操作端末器２においてスイッチ２２が操作されると、操作端末器２から伝送ユニット１へは、信号線７を介して操作信号が送信されることになる。ここでいう操作信号は、スイッチ２２のオンオフに応じて操作端末器２で発生する信号であって、操作端末器２から伝送ユニット１へ送信される電流モード信号である。
【００１６】
操作端末器２からの操作信号を受信した伝送ユニット１は、操作されたスイッチ２２にアドレスが対応するリレー４を制御するための制御信号を、信号線７を介して制御端末器３へ送信する。ここでいう制御信号は、リレー４をオンオフするための信号であって、伝送ユニット１から制御端末器３へ送信される信号である。
【００１７】
（２）操作端末器
（２−１）構成
以下、本実施形態の操作端末器２について説明する。図２Ａ及び図２Ｂは、操作端末器２の外観図（斜視図）を示す。操作端末器２は、建物の造営材（例えば壁）１００（図１４Ａ〜図１４Ｃ参照）に取り付けられる。操作端末器２は、図３及び図４に示すように、本体ブロック３０と、カバー４０と、取付枠５０と、を備える。
【００１８】
（２−１−１）本体ブロック
本体ブロック３０は、図５及び図６に示すように、ボディ３１と、回路ブロック３２と、ばねブロック３３と、複数（本実施形態では８つ）のハンドル３４（３４ａ〜３４ｈ）と、を備える。また、本体ブロック３０は、保護シート３５と、保護カバー３６とを備える。また、本体ブロック３０は、一対の第１取付ねじ３７１と、一対の第２取付ねじ３７２と、固定ねじ３７３とを備える。さらに、本体ブロック３０は、一対の端子３８を備える。
【００１９】
ボディ３１は、回路ブロック３２と、ばねブロック３３と、複数（本実施形態では８つ）のハンドル３４（３４ａ〜３４ｈ）と、一対の端子３８と、を保持する。ボディ３１は、図４に示すように、前側部分３１０と、後側部分３１１とを有する。ボディ３１は、電気絶縁性の樹脂製である。前側部分３１０は、四辺形（矩形又は正方形）の板状である。後側部分３１１は、中空の矩形の箱状である（図１２参照）。後側部分３１１は、前側部分３１０の後面の中央部から後方に突出している。また、前側部分３１０は、図１２に示すように、中央に開口３１０１を有している。開口３１０１は、後側部分３１１の内部に繋がっている。ここで、ボディ３１の後側部分３１１は、図４に示すように、前後方向に交差する規定方向（図４の略左右方向）の両側から突出する一対の突起３１１１を有する。一対の突起３１１１は、本体ブロック３０を取付枠５０に仮固定するために用いられる。一対の突起３１１１はそれぞれ円柱状である。
【００２０】
また、ボディ３１は、複数（本実施形態では４つ）の第１規制片３１２と、複数（本実施形態では６つ）の第２規制片３１３とを有する。複数の第１規制片３１２はいずれも同じ形状であり、一つの貫通孔３１２１を有している。第１規制片３１２は、いわゆるＵ字状である。４つの第１規制片３１２（３１２ａ〜３１２ｄ）は、図１１に示すように、前側部分３１０の前面の４隅に配置される。ただし、各第１規制片３１２の貫通孔３１２１は、前側部分３１０の前面のうち前後方向に直交する第１方向（図１１の左右方向）を向いている。複数の第２規制片３１３はいずれも同じ形状であり、一対の貫通孔３１３１を有している。第２規制片３１３は、いわゆるＷ字状である。６つの第２規制片３１３のうち３つ（第２規制片３１３ａ〜３１３ｃ）は、前側部分３１０の前面の第１方向（図１１の左右方向）の第１端において、２つの第１規制片３１２間に配置されている。残りの３つ（第２規制片３１３ｄ〜３１３ｆ）は、前側部分３１０の前面の第１方向（図１１の左右方向）の第２端において、２つの第１規制片３１２間に配置される。ただし、各第２規制片３１３の一対の貫通孔３１３１は、第１方向（図１１の左右方向）を向いている。前側部分３１０の前面の第１方向（図１１の左右方向）の第１端において、２つの第１規制片３１２と３つの第２規制片３１３は、前側部分３１０の前後方向及び第１方向に直交する第２方向（図１１の上下方向）に沿って並んでいる。同様に、前側部分３１０の前面の第１方向（図１１の左右方向）の第２端において、２つの第１規制片３１２と３つの第２規制片３１３は、前側部分３１０の前後方向及び第１方向に直交する第２方向（図１１の上下方向）に沿って並んでいる。なお、図１１では、単に図面の簡略化のためだけに、保護シート３５及び保護カバー３６が省略されている。
【００２１】
また、ボディ３１は、複数の第１結合部３１４を有する。複数の第１結合部３１４は、前側部分３１０の前面から前方に突出している。複数の第１結合部３１４は、カバー４０を本体ブロック３０に取り付けるために用いられる。本実施形態では、前側部分３１０の４辺の各々に第１結合部３１４が２つずつ配置されている。
【００２２】
また、ボディ３１は、複数（本実施形態では４つ）の軸受部３１５を有する。複数の軸受部３１５は、共通の中心軸（回転軸）を有するように、前側部分３１０の前面の第２方向（図１１の上下方向）の第１端（図１１の下端）に形成されている。複数の軸受部３１５は、共通の中心軸の方向が前側部分３１０の第１方向に平行する方向となるように、並んでいる。なお、各軸受部３１５は、筒状ではなく、弧状となっている。そのため、中心軸に交差する方向から、軸受部３１５に後述する軸部３３６を取り付けることができる。
【００２３】
また、ボディ３１は、図５に示すように、一対の第１ねじ孔３１６１と、一対の第２ねじ孔３１６２と、を有する。一対の第１ねじ孔３１６１と、一対の第２ねじ孔３１６２とは、ばねブロック３３をボディ３１に固定するために用いられる。一対の第１ねじ孔３１６１は、前側部分３１０の前面の第２方向（図５の上下方向）の第２端（図５の上端）に形成されている。一対の第１ねじ孔３１６１は、前側部分３１０の前面の第１方向において所定の間隔を隔てて並んでいる。一対の第２ねじ孔３１６２は、前側部分３１０の前面の第２方向（図５の上下方向）の中央部に形成されている。一対の第２ねじ孔３１６２は、前側部分３１０の前面の第１方向において所定の間隔を隔てて並んでいる。
【００２４】
また、ボディ３１は、ボディ３１をその前後方向に貫通する貫通孔３１６３を有する。貫通孔３１６３は、前側部分３１０の前面の第２方向（図５の上下方向）の第２端（図５の上端）に形成されている。特に、貫通孔３１６３は、前側部分３１０の前面の第１方向の中央部に位置する。
【００２５】
また、ボディ３１は、周壁部３１７を有する。周壁部３１７は、前側部分３１０の前面の周縁部から前方に突出している。前側部分３１０と周壁部３１７とが、回路ブロック３２及びばねブロック３３を収容する収容スペースを形成する。なお、周壁部３１７は、当該収容スペースを完全に囲っているわけではない。周壁部３１７は、図５から分かるように、複数の軸受部３１５を外部に露出させている。また、周壁部３１７は、ユーザが切替部２６を操作するための操作孔３１７１を有する。操作孔３１７１は、切替部２６の手動操作部２６１を外部に臨ませる。
【００２６】
回路ブロック３２は、図７に示すように、複数のスイッチ２２と、信号処理部２３と、記憶部２４と、通信部２５と、切替部２６と、表示部２７と、を備える。また、回路ブロック３２は、図５に示すように、基板３２０を有している。基板３２０は、矩形の板状である。基板３２０に、電子部品が実装されることで、図７に示す回路構成（複数のスイッチ２２、信号処理部２３、記憶部２４、通信部２５、切替部２６、及び表示部２７）が実現され得る。
【００２７】
複数のスイッチ２２（２２ａ〜２２ｈ）は、基板３２０の前面に実装される。複数のスイッチ２２はいずれも同じ構造である。各スイッチ２２は、いわゆる、タクトスイッチである。複数のスイッチ２２ａ〜２２ｈは、所定方向に並ぶ複数の列を構成するように並んでいる。より詳細には、８つのスイッチ２２ａ〜２２ｈは、基板３２０の幅方向（図５の略左右方向）に並ぶ２つの列を構成する。２つの列の一方は、４つのスイッチ２２ａ〜２２ｄが基板３２０の長さ方向（図５の上下方向）に並んだ列であり、他方は、４つのスイッチ２２ｅ〜２２ｈが基板３２０の長さ方向（図５の上下方向）に並んだ列である。
【００２８】
通信部２５は、複数のスイッチ２２から選択される設定対象に対応付けるアドレスを指定する設定信号を受け取るように構成される。設定信号は、例えば、図１に示す設定器６から送信される。この場合、通信部２５は、設定器６と通信するように構成される。設定器６との通信は、例えば、赤外線を媒体とする赤外線通信である。本実施形態では、通信部２５は、発光部２５１と受光部２５２とを備える。発光部２５１は、特定波長帯域の光（本実施形態では赤外線）を放射する素子である。発光部２５１は、赤外線を媒体として信号（状態信号）を送信する。受光部２５２は、特定波長帯域の光（本実施形態では赤外線）を受光する素子である。受光部２５２は、赤外線を媒体として信号（設定信号）を受け取る。発光部２５１と受光部２５２とは、基板３２０の前面に実装される。特に、発光部２５１及び受光部２５２は、基板３２０の長さ方向の第１端（図５の下端）において、基板３２０の幅方向の第１端側（図５の左端側）に位置する。
【００２９】
切替部２６は、基板３２０の前面に実装される。特に、切替部２６は、基板３２０の長さ方向の第１端（図５の下端）において、基板３２０の幅方向の第２端側（図５の右端側）に位置する。切替部２６は、複数の切替位置の間で移動可能な手動操作部２６１を有する。本実施形態において、複数の切替位置は、第１切替位置と、第２切替位置とを含む。切替部２６は、第１切替位置と第２切替位置とが基板３２０の幅方向において異なる位置となるように、基板３２０に実装される。そのため、第１切替位置と第２切替位置とは、４つのスイッチ２２ａ〜２２ｄの列と４つのスイッチ２２ｅ〜２２ｈの列とが並ぶ方向において、異なる位置である。特に、第１切替位置は、基板３２０の幅方向の第１端側（図５の左端側）の位置であり、第２切替位置は、基板３２０の幅方向の第２端側（図５の右端側）の位置である。また、切替部２６は、手動操作部２６１が基板３６０の長さ方向に沿って基板３６０の外方に向かうように、基板３２０に実装されている。
【００３０】
表示部２７は、複数対（本実施形態では８対）の表示素子２７０を含む。複数対の表示素子２７０はそれぞれ複数のスイッチ２２に対応付けられている。特に、図１１に示すように、複数対の表示素子２７０は、８対の表示素子２７０ａ，２７０ｂ，２７０ｃ，２７０ｄ，２７０ｅ，２７０ｆ，２７０ｇ，２７０ｈを含む。８対の表示素子２７０ａ，２７０ｂ，２７０ｃ，２７０ｄ，２７０ｅ，２７０ｆ，２７０ｇ，２７０ｈは、それぞれ、８つのスイッチ２２ａ，２２ｂ，２２ｃ，２２ｄ，２２ｅ，２２ｆ，２２ｇ，２２ｈに対応する。各表示素子２７０は、発光ダイオード（ＬＥＤ）である。
【００３１】
信号処理部２３及び記憶部２４は、基板３２０の後面に実装される。信号処理部２３は、複数のスイッチ２２のいずれかのスイッチ２２が操作されると、操作されたスイッチ２２に対応するアドレスを含む操作信号を出力するように構成される。信号処理部２３は、例えば、メモリ及びプロセッサを備えるマイクロコンピュータで実現され得る。つまり、マイクロコンピュータが、そのメモリに格納されたプログラムをプロセッサで実行することで信号処理部２３として機能する。記憶部２４は、複数のスイッチ２２とアドレスとの対応関係を記憶するための記憶装置である。記憶部２４は、例えば、ＥＥＰＲＯＭ（Electrically Erasable Programmable Read-Only Memory）である。つまり、信号処理部２３は、複数のスイッチ２２のいずれかのスイッチ２２が操作されると、記憶部２４に記憶された対応関係を参照して、操作されたスイッチ２２に対応するアドレスを含む操作信号を出力する。なお、信号処理部２３が対応関係を記憶するのに十分なメモリを有する場合には、記憶部２４は設けなくてもよい。
【００３２】
また、信号処理部２３は、スイッチ２２のオンオフに応じた操作信号による負荷の制御状態に応じて、複数のスイッチ２２にそれぞれ対応する複数対の表示素子２７０の発光状態が変化させるように構成される。発光状態は、一対の表示素子２７０の発光色（例えば赤、緑）や、一対の表示素子２７０の点灯、消灯、点滅の別、更には点滅パターンなどである。
【００３３】
また、信号処理部２３は、手動操作部２６１の位置に応じて複数のスイッチ２２から選択した設定対象に、通信部２５から受け取った設定信号で指定されたアドレスを対応付けるように構成される。信号処理部２３は、手動操作部２６１が第１切替位置にある場合、複数のスイッチ２２から、４つのスイッチ２２ａ，２２ｂ，２２ｃ，２２ｄを設定対象として選択するように構成される。また、信号処理部２３は、手動操作部２６１が第２切替位置にある場合、複数のスイッチ２２から、別の４つのスイッチ２２ｅ，２２ｆ，２２ｇ，２２ｈを設定対象として選択するように構成される。信号処理部２３は、複数のスイッチ２２から、設定対象として、４つのスイッチ２２ａ〜２２ｄの列と４つのスイッチ２２ｅ〜２２ｈの列とのいずれかを選択する。上述したように、第１切替位置は、基板３２０の幅方向の第１端側（図５の左端側）の位置であり、第２切替位置は、基板３２０の幅方向の第２端側（図５の右端側）の位置である。つまり、複数の切替位置の各々は、複数の列のうち、所定方向における順番が同じ列に対応付けられている。そのため、ユーザが直感的に設定対象を切替部２６で選択することが可能になる。
【００３４】
信号処理部２３は、通信部２５を通じて設定器６から設定信号を受け取ると、設定対象として選択しているスイッチ２２に、設定信号で指定されたアドレスを対応付ける。これによって、記憶部２４に記憶されている対応関係を更新する。設定信号は、例えば、４つのアドレスを含む。信号処理部２３は、手動操作部２６１が第１切替位置にある場合、４つのスイッチ２２ａ，２２ｂ，２２ｃ，２２ｄを設定対象として選択する。そのため、信号処理部２３は、設定信号を受け取ると、４つのスイッチ２２ａ，２２ｂ，２２ｃ，２２ｄに４つのアドレスを順番に対応付ける（割り当てる）。また、信号処理部２３は、手動操作部２６１が第２切替位置にある場合、４つのスイッチ２２ｅ，２２ｆ，２２ｇ，２２ｈを設定対象として選択する。そのため、信号処理部２３は、設定信号を受け取ると、４つのスイッチ２２ｅ，２２ｆ，２２ｇ，２２ｈに４つのアドレスを順番に対応付ける（割り当てる）。
【００３５】
また、信号処理部２３は、表示部２７により、複数のスイッチ２２から選択された設定対象を示すように構成される。信号処理部２３は、通信部２５を通じて設定器６からアドレス設定を開始する旨の開始信号を受け取ると、設定対象に対応する表示素子２７０を点灯させるように構成される。これにより、表示部２７は、複数のスイッチ２２から選択された設定対象を示す。この構成によれば、信号処理部２３は、設定対象をユーザに知らせることができる。なお、信号処理部２３は、切替部２６の手動操作部２６１の位置が変更された際に、設定対象に対応する表示素子２７０を点灯させてもよい。
【００３６】
また、信号処理部２３は、通信部２５を通じて設定器６から開始信号を受け取ると、状態信号を通信部２５を通じて出力するように構成される。状態信号は、設定対象として選択されているスイッチとアドレスとの関係を示す信号である。この構成によれば、信号処理部２３は、現在のスイッチとアドレスとの対応関係をユーザに知らせることができる。
【００３７】
複数のハンドル３４ａ〜３４ｈは、複数のスイッチ２２をユーザが操作するために設けられる。複数のハンドル３４ａ〜３４ｈは、複数のスイッチ２２ａ〜２２ｈと同様に、所定方向に並ぶ複数の列を構成するように並んでいる。より詳細には、８つのハンドル３４ａ〜３４ｈは、前側部分３１０の前面の第１方向（図５の略左右方向）に並ぶ２つの列を構成する。２つの列の一方は、４つのハンドル３４ａ〜３４ｄが前側部分３１０の前面の第２方向（図５の上下方向）に並んだ列であり、他方は、４つのハンドル３４ｅ〜３４ｈが前側部分３１０の前面の第２方向（図５の上下方向）に並んだ列である。複数のハンドル３４ａ〜３４ｈは、いずれも同じ構造である。各ハンドル３４は、図８Ａ及び図８Ｂに示すように、ハンドル本体３４１と、ハンドルカバー３４２と、を備える。
【００３８】
ハンドル本体３４１は、矩形の板状である。ハンドル本体３４１は、不透明な樹脂製である。ハンドル本体３４１は、その長さ方向の第１端側に、一対の貫通孔３４１１を有する。一対の貫通孔３４１１は、複数対の表示素子２７０のうち対応する一対の表示素子２７０を露出させるために設けられる。また、ハンドル本体３４１は、前面に、収納スペース３４１２を有する。収納スペース３４１２は、矩形の凹部である。収納スペース３４１２は、ラベル３４３を収納するために用いることができる。ラベル３４３は、例えば、対応するスイッチ２２に関連付けられた負荷を特定するための情報（名称等）が表記された、いわゆるネームカードである。
【００３９】
また、ハンドル本体３４１は、後面に、一対の第１突起３４１３と、一対の第２突起３４１４と、一対のストッパ３４１５と、を有する。一対の第１突起３４１３は、ハンドル本体３４１の長さ方向の第１端（図８Ｂの右端）から外方に突出している。一対の第１突起３４１３は、ハンドル本体３４１の幅方向において並んでいる。各第１突起３４１３は、第１規制片３１２の貫通孔３１２１と、第２規制片３１３の一対の貫通孔３１３１とのいずれかに挿入される。つまり、第１突起３４１３が、第１規制片３１２の前端部分の後面（貫通孔３１２１の内面）又は第２規制片３１３の前端部分の後面（貫通孔３１３１の内面）に当たることで、ハンドル３４の前方への移動が規制される。一対の第２突起３４１４は、それぞれ先端が折れ曲がったＬ字状であり、ハンドル本体３４１の後面から後方に突出する。一対の第２突起３４１４は、ハンドル本体３４１の幅方向において並んでいる。一対の第１突起３４１３及び一対の第２突起３４１４は、ハンドル３４をボディ３１に取り付けるために用いられる。一対のストッパ３４１５は、それぞれ棒状であり、ハンドル本体３４１の後面から後方に突出する。一対のストッパ３４１５は、ハンドル３４の過度の押し込みを防止するために設けられている。つまり、一対のストッパ３４１５が、前側部分３１０の前面に当たることで、ハンドル３４の過度の押し込みが防止される。さらに、ハンドル本体３４１は、前面に、複数（４つ）の凹部３４１６を備える。複数（４つ）の凹部３４１６は、ハンドルカバー３４２をハンドル本体３４１に取り付けるために用いられる。
【００４０】
ハンドルカバー３４２は、矩形の板状である。ハンドルカバー３４２は、透明な樹脂製である。図８Ｂに示すように、ハンドルカバー３４２は、後面に、複数（４つ）の凹部３４１６にそれぞれ嵌る複数（４つ）の突起３４２１を備える。ハンドルカバー３４２は、複数の突起３４２１をハンドル本体３４１の複数の凹部３４１６にそれぞれ嵌めることで、ハンドル本体３４１の前面側に取り付けられる。ハンドルカバー３４２は、ラベル３４３に記載された情報の視認性を確保するために、ハンドル本体３４１の収納スペース３４１２に対向する部分が透明であるように形成される。一方で、ハンドルカバー３４２は、ハンドル本体３４１の一対の貫通孔３４１１に対応する部分が光散乱性を有するように形成される。
【００４１】
ばねブロック３３は、図５及び図６に示すように、回路ブロック３２の複数のスイッチ２２と複数のハンドル３４との間に配置される。ばねブロック３３は、樹脂（好ましくは可撓性を有する樹脂）製である。ばねブロック３３は、図５、図６及び図９に示すように、支持枠３３０と、複数のばね片３３１，３３２と、複数の復帰ばね３３３と、を備える。
【００４２】
支持枠３３０は、中央片３３０１と、一対の側片３３０２，３３０３と、一対の連結片３３０４，３３０５と、を備える。中央片３３０１は、長尺状である。一対の側片３３０２，３３０３は、中央片３３０１の幅方向（図９の左右方向）の両側に所定間隔を空けて位置し、中央片３３０１と同じ方向（図９の上下方向）に延びる。連結片３３０４は、中央片３３０１と一対の側片３３０２，３３０３とをそれらの長さ方向の第１端（図９の上端）で連結する。連結片３３０５は、中央片３３０１と一対の側片３３０２，３３０３とをそれらの長さ方向の第２端（図９の下端）で連結する。このように、支持枠３３０では、一対の側片３３０２，３３０３と、一対の連結片３３０４，３３０５とが矩形の枠を形成し、中央片３３０１がこの矩形の枠の中央に位置する。
【００４３】
複数のばね片３３１は、複数（本実施形態では８つ）の第１ばね片３３１（３３１ａ〜３３１ｈ）と、複数（本実施形態では４つ）の第２ばね片３３２（３３２ａ〜３３２ｄ）と、を含む。
【００４４】
複数の第１ばね片３３１は、いずれも同じ形状である。第１ばね片３３１は、長尺の板状である。第１ばね片３３１は、その前面の先端部に、前方に突出する一対の突起３３１１を有する。一対の突起３３１１は、第１ばね片３３１の長さ方向に並んでいる。一対の突起３３１１は、ハンドル３４を前方に付勢する際に、ハンドル３４に接触される。また、第１ばね片３３１は、後面に、スイッチ２２に接触される突起３３１２を有する。複数の第１ばね片３３１ａ〜３３１ｄは、側片３３０２の長さ方向の第１端から第２端に向かって、この順番で並んでいる。また、複数の第１ばね片３３１ｅ〜３３１ｈは、側片３３０３の長さ方向の第１端から第２端に向かって、この順番で並んでいる。複数の第１ばね片３３１ａ〜３３１ｈは、それぞれ、複数のスイッチ２２ａ〜２２ｈと複数のハンドル３４ａ〜３４ｈとの間に位置する。第１ばね片３３１ａ〜３３１ｄは、側片３３０２から中央片３３０１（つまり側片３３０３）側へ突出し、第１ばね片３３１ｅ〜３３１ｈは、側片３３０３から中央片３３０１（つまり側片３３０２）側へ突出している。
【００４５】
複数の第２ばね片３３２は、いずれも同じ形状である。第２ばね片３３２は、長尺の板状である。ただし、第２ばね片３３２は、第１ばね片３３１よりも幅が広い。第２ばね片３３２は、第１ばね片３３１と同様に、その前面の先端部に、前方に突出する一対の突起３３２１を有する。一対の突起３３２１は、第２ばね片３３２の長さ方向に並んでいる。また、第２ばね片３３２は、第１ばね片３３１と同様に、後面に突起３３２２を有する。複数の第２ばね片３３２ａ〜３３２ｄは、複数のスイッチ２２ａ〜２２ｈのいずれとも重ならない。第２ばね片３３２ａは、第１ばね片３３１ａ，３３１ｂの間（つまり、第１ばね片３３１ａ，３３１ｂの隣）に位置し、側片３３０２から中央片３３０１（つまり、側片３３０３）側へ突出する。つまり、第２ばね片３３２ａは、隣の第１ばね片３３１ａ，３３１ｂと同じ方向に突出する。第２ばね片３３２ｂは、第１ばね片３３１ｃ，３３１ｄの間（つまり、第１ばね片３３１ｃ，３３１ｄの隣）に位置し、側片３３０２から中央片３３０１（つまり、側片３３０３）側へ突出する。つまり、第２ばね片３３２ｂは、隣の第１ばね片３３１ｃ，３３１ｄと同じ方向に突出する。第２ばね片３３２ｃは、第１ばね片３３１ｅ，３３１ｆの間（つまり、第１ばね片３３１ｅ，３３１ｆの隣）に位置し、側片３３０３から中央片３３０１（つまり、側片３３０２）側へ突出する。つまり、第２ばね片３３２ｃは、隣の第１ばね片３３１ｅ，３３１ｆと同じ方向に突出する。第２ばね片３３２ｄは、第１ばね片３３１ｇ，３３１ｈの間（つまり、第１ばね片３３１ｇ，３３１ｈの隣）に位置し、側片３３０３から中央片３３０１（つまり、側片３３０２）側へ突出する。つまり、第２ばね片３３２ｄは、隣の第１ばね片３３１ｇ，３３１ｈと同じ方向に突出する。このように、複数の第２ばね片３３２の各々は、複数の第１ばね片３３１のいずれかの隣に位置し、隣の第１ばね片３３１と同じ方向に突出する。
【００４６】
本実施形態において、複数の第１ばね片３３１は、複数のハンドル３４と複数のスイッチ２２との間にそれぞれ位置して複数のハンドル３４を前方に付勢する複数の主ばね片を構成する。複数の第２ばね片３３２は、複数のスイッチ２２のいずれとも重ならない複数の副ばね片を構成する。
【００４７】
複数（本実施形態では８つ）の復帰ばね３３３は、いずれも同じ形状である。復帰ばね３３３は、長尺の板状である。復帰ばね３３３は、その前面の先端部に、前方に突出する突起３３３１を有する。複数の復帰ばね３３３ａ〜３３３ｄは、中央片３３０１における側片３３０２側の端部から側片３３０２側へ突出している。複数の復帰ばね３３３ａ〜３３３ｄは、中央片３３０１の幅方向において、複数の第１ばね片３３１ａ〜３３１ｄとそれぞれ間隔を空けて対向している。複数の復帰ばね３３３ａ〜３３３ｄは、複数のハンドル３４ａ〜３４ｄを前方に付勢するために用いられる。複数の復帰ばね３３３ｅ〜３３３ｈは、中央片３３０１における側片３３０３側の端部から側片３３０３側へ突出している。複数の復帰ばね３３３ｅ〜３３３ｈは、中央片３３０１の幅方向において、複数の第１ばね片３３１ｅ〜３３１ｈとそれぞれ間隔を空けて対向している。複数の復帰ばね３３３ｅ〜３３３ｈは、複数のハンドル３４ｅ〜３４ｈを前方に付勢するために用いられる。
【００４８】
また、ばねブロック３３は、一対の突出片３３４を有する。一対の突出片３３４の一方は、側片３３０２における第１ばね片３３１ｂ，３３１ｃ間の部位と中央片３３０１の長さ方向の中央部とを連結する。他方は、側片３３０３における第１ばね片３３１ｆ，３３１ｇ間の部位と中央片３３０１の長さ方向の中央部とを連結する。
【００４９】
また、ばねブロック３３は、複数（本実施形態では２４つ）の窓孔３３５を有する。複数の窓孔３３５は、支持枠３３０の中央片３３０１に形成される。複数の窓孔３３５は、図９に示すように、複数の表示素子２７０にそれぞれ対応する位置に形成される複数（１６つ）の第１窓孔３３５１と、複数の表示素子２７０と対応しない位置に形成される複数（８つ）の第２窓孔３３５２と、を含む。
【００５０】
また、ばねブロック３３は、複数（本実施形態では、４つ）の軸部３３６を有する。複数の軸部３３６は、共通の中心軸を有するように、ばねブロック３３（支持枠３３０）の一端（図９の下端）に形成されている。複数の軸部３３６は、共通の中心軸の方向が支持枠３３０の中央片３３０１の幅方向に平行する方向となるように、並んでいる。複数の軸部３３６は、ボディ３１の複数の軸受部３１５にそれぞれ回転可能に取り付けられる。また、各軸受部３１５は、筒状ではなく、弧状となっている。そのため、複数の軸部３３６は、複数の軸受部３１５に取り外し可能に取り付けられる。このように、複数の軸部３３６と複数の軸受部３１５とで構成される取付構造によって、ばねブロック３３は、第１端で、ボディ３１に、ボディ３１の前後方向に直交する方向（第１方向）の回りに、回転可能に取り付けられる。特に、ばねブロック３３は、互いに異なる第１位置と第２位置との間で、ボディ３１に対して回転可能である。第１位置は、図１０Ａに示すように、ばねブロック３３をボディ３１から取り外し可能な位置である。別の言い方をすれば、ばねブロック３３の複数の軸部３３６をボディ３１の複数の軸受部３１５に取り付けた際には、ばねブロック３３は第１位置に位置する。第２位置は、図１０Ｂに示すように、ばねブロック３３がボディ３１に対する規定位置にある位置である。規定位置は、図１１に示すように、少なくとも、複数の第１ばね片３３１ａ〜３３１ｇが複数のスイッチ２２ａ〜２２ｈにそれぞれ対向する位置である。
【００５１】
また、ばねブロック３３は、窓孔３３７を有する。窓孔３３７は、通信部２５を構成する発光部２５１及び受光部２５２を露出させる孔である。つまり、窓孔３３７は、赤外線を通すために設けられている。
【００５２】
また、ばねブロック３３は、一対の第１挿通孔３３８１と、一対の第２挿通孔３３８２とを有する。一対の第１挿通孔３３８１は、ボディ３１の第１ねじ孔３１６１と対応する位置に形成され、一対の第２挿通孔３３８２は、ボディ３１の第２ねじ孔３１６２と対応する位置に形成される。本実施形態では、一対の第１挿通孔３３８１は、連結片３３０４に形成され、一対の第２挿通孔３３８２は、一対の突出片３３４にそれぞれ形成されている。一対の第１挿通孔３３８１と一対の第２挿通孔３３８２とは、ばねブロック３３をボディ３１に固定するために用いられる。
【００５３】
また、ばねブロック３３は、複数の規制突起３３９を有する。複数の規制突起３３９は、中央片３３０１の幅方向の両側に設けられている。規制突起３３９は、後面に、ハンドル３４の第２突起３４１４の先端が当たることで、ハンドル３４の前方への移動を規制する。
【００５４】
保護シート３５は、長尺状であり、ばねブロック３３の中央片３３０１の前面に取り付けられる。保護シート３５は、表示素子２７０の保護（例えば静電気からの保護）のために設けられる。保護シート３５は、部分的に不透明であるが、少なくとも、ばねブロック３３の複数の窓孔３３５に対応する部位が透明である。なお、保護シート３５において不透明である部分を、図５、図６、図１０Ａ及び図１０Ｂではドットの網掛けで示している。
【００５５】
保護カバー３６は、ばねブロック３３の連結片３３０４の前面に、窓孔３３７を覆うように取り付けられる。保護カバー３６は、矩形状であり、赤外線を透過する材料により形成される。保護カバー３６は、通信部２５の発光部２５１及び受光部２５２を保護するために設けられる。言い換えれば、通信部２５は、発光部２５１及び受光部２５２を保護する保護カバー３６を備えている。
【００５６】
一対の第１取付ねじ３７１と一対の第２取付ねじ３７２は、ばねブロック３３をボディ３１に固定するために用いられる。
【００５７】
固定ねじ３７３は、本体ブロック３０を取付枠５０に固定するために用いられる。
【００５８】
一対の端子３８は、回路ブロック３２を信号線７に電気的に接続するための端子である。一対の端子３８は、図４に示すように、ボディ３１の後側部分３１１の後面に設けられる。一対の端子３８は、後側部分３１１の内部において、回路ブロック３２に電気的に接続される。一対の端子３８は、ねじ端子である。
【００５９】
（２−１−２）カバー
カバー４０は、本体ブロック３０の前面の周縁部分を覆う。カバー４０は、主に、操作端末器２の見栄えをよくするために用いられる。カバー４０は、図３及び図４に示すように、前壁部４１と、周壁部４２と、複数の第２結合部４３と、を備える。カバー４０は、樹脂（特に、赤外線を透過しない樹脂）製であり、前壁部４１と、周壁部４２と、複数の第２結合部４３とは一体に形成されている。前壁部４１は、長方形（矩形又は正方形）の枠状であり、中央に、長方形（矩形又は正方形）の開口４１１を有している。開口４１１の大きさは、本体ブロック３０の複数のハンドル３４の全てを露出させるように設定される。周壁部４２は、前壁部４１の周縁から後方に突出する。周壁部４２は、本体ブロック３０（特にボディ３１）を囲ってその側面を覆うように形成される。複数の第２結合部４３は、前壁部４１の後面から後方に突出している。複数の第２結合部４３は、カバー４０を本体ブロック３０に取り付けるために用いられる。複数の第２結合部４３を本体ブロック３０のボディ３１の複数の第１結合部３１４にそれぞれ機械的に結合することで、カバー４０が本体ブロック３０に取り付けられる。複数の第２結合部４３は、複数の第１結合部３１４に対応する位置に配置される。本実施形態では、前壁部４１の４辺の各々に第２結合部４３が２つずつ配置されている。
【００６０】
（２−１−３）取付枠
取付枠５０は、造営材に固定される。例えば、取付枠５０は、造営材に埋め込まれた配線ボックスに固定され、これによって、造営材に固定される。取付枠５０は、前面側で本体ブロック３０を支持する。取付枠５０は、図３及び図４に示すように、枠体５１と、一対の支持部５２と、を備える。取付枠５０は、ボディ３１より強度（機械的な強度）が高い。例えば、取付枠５０は、ボディ３１よりも硬い材料（例えば、金属）で形成されている。また、取付枠５０では、枠体５１と、一対の支持部５２とが一体に形成されている。取付枠５０は、金属板に打ち抜き加工及び折り曲げ加工をすることで形成され得る。
【００６１】
枠体５１は、長方形（矩形又は正方形）の枠状であり、中央に、開口５１１を有している。開口５１１の大きさは、ボディ３１の後側部分３１１を収容可能に設定される。開口５１１は矩形である。枠体５１は、その前後方向（厚み方向）に直交する第１方向（図３及び図４の略左右方向）において、開口５１１の両側に、取付孔５１２を有する。取付孔５１２は、ねじ等により、取付枠５０を造営材（配線ボックス）に固定するために使用される。また、枠体５１は、その前後方向及び第１方向に直交する第２方向（図３及び図４の略上下方向）の一端（図３及び図４の下端）に、ねじ孔５１３を有する。ねじ孔５１３は、本体ブロック３０の貫通孔３１６３に対応する。ねじ孔５１３には、貫通孔３１６３を通して固定ねじ３７３が挿入される。
【００６２】
一対の支持部５２は、本体ブロック３０を仮保持（又は仮固定）するために用いられる。詳しくは、一対の支持部５２は、本体ブロック３０（ボディ３１）の一対の突起３１１１をそれぞれ支持する。これによって、一対の支持部５２は、本体ブロック３０を保持する。一対の支持部５２は、板状であり、互いに対向するように、枠体５１の開口５１１の第１方向の両縁から後方に突出する。一対の支持部５２の各々は、一対の突起３１１１のうちの対応するほうが挿入される空所５２１を有する。空所５２１は、第１通路５２１１と、第２通路５２１２とを含む。第１通路５２１１は、取付枠５０の前後方向（ボディ３１の前後方向に一致する）に延び、前端が開放されている。第２通路５２１２は、取付枠５０の第１方向（ボディ３１の規定方向に一致する）に交差する方向（本実施形態では、取付枠５０の第２方向）に延びる。第２通路５２１２は、第１端（図３及び図４の上端）で第１通路５２１１に連結され、第２端（図３及び図４の下端）が閉じている。
【００６３】
このような取付枠５０は、回路部品を保持するボディ３１を、造営材１００に固定するための取付枠であって、ボディ３１より固い材料で形成される。取付枠５０は、ボディ３１をその前後方向に貫通する貫通孔３１６３に対応するねじ孔５１３と、ボディ３１の前後方向に交差する規定方向の両側から突出する一対の突起３１１１をそれぞれ支持する一対の支持部５２と、を有する。ここで、実施形態１の場合、回路部品は、複数のスイッチ２２と、信号処理部２３とを含む。ただし、取付枠５０に着目した場合には、回路部品は、操作端末器２の回路部品に限定されない。つまり、ボディ３１で保持される回路部品は、制御端末器３の回路部品や、コンセント（交流コンセント、直流コンセント、ＵＳＢコンセント等）の回路部品であってもよい。
【００６４】
（２−２）組み立て
次に、操作端末器２の組み立て方法について説明する。以下の組み立て方法はあくまでも一例であって、操作端末器２の組み立て方法は下記の例のみに限定されない。
【００６５】
図４及び図５に示すように、回路ブロック３２と一対の端子３８とをボディ３１に取り付ける。回路ブロック３２は、前側部分３１０の前面の中央部に、開口３１０１を塞ぐように取り付けられる。これにより、ボディ３１は、前面に、複数のスイッチ２２、通信部２５、信号処理部２３、及び切替部２６が取り付けられる。一対の端子３８は、後側部分３１１の後面に取り付けられ、回路ブロック３２に電気的に接続される。また、ばねブロック３３には、保護シート３５及び保護カバー３６が取り付けられる。また、複数のハンドル３４の各々において、複数の突起３４２１をハンドル本体３４１の複数の凹部３４１６にそれぞれ嵌めることで、ハンドルカバー３４２をハンドル本体３４１の前面側に取り付ける。なお、ハンドル本体３４１の収納スペース３４１２には、必要に応じて、ラベル３４３が収容される。
【００６６】
次に、ばねブロック３３をボディ３１に固定する作業を行う。この作業では、まず、ばねブロック３３の複数の軸部３３６をボディ３１の複数の軸受部３１５に取り付ける。これによって、図１０Ａに示すように、ばねブロック３３がボディ３１に対して第１位置に位置する。この後に、ばねブロック３３を、複数の軸部３３６の中心軸（複数の軸受部３１５の回転軸）の回りに回転させて、第１位置から第２位置へ移動させる（図１０Ｂ参照）。第２位置では、複数の第１ばね片３３１ａ〜３３１ｇが複数のスイッチ２２ａ〜２２ｈにそれぞれ対向する。また、第２位置では、ばねブロック３３の一対の第１挿通孔３３８１がボディ３１の一対の第１ねじ孔３１６１と対向し、ばねブロック３３の一対の第２挿通孔３３８２がボディ３１の一対の第２ねじ孔３１６２と対向する。そして、一対の第１取付ねじ３７１を、一対の第１挿通孔３３８１を介して、一対の第１ねじ孔３１６１に挿入する。同様に、一対の第２取付ねじ３７２を、一対の第２挿通孔３３８２を介して、一対の第２ねじ孔３１６２に挿入する。
【００６７】
その後、複数のハンドル３４ａ〜３４ｈがボディ３１に取り付けられる。複数のハンドル３４ａ〜３４ｈはいずれも同様の方法でボディ３１に取り付けられる。そのため、ハンドル３４ａについてのみ説明をする。ハンドル３４ａをボディ３１に取り付けるにあたっては、まず、ハンドル３４ａの一対の第１突起３４１３を、第１規制片３１２ａの貫通孔３１２１と第２規制片３１３ａの一対の貫通孔３１３１の一方に、挿入する。この後、ハンドル３４ａをボディ３１側へ押圧し、ハンドル３４ａの一対の第２突起３４１４の各々の先端を、ばねブロック３３の対応する規制突起３３９（復帰ばね３３３ａの両側の規制突起３３９）の後面側に移動させる。これによって、図１２及び図１３に示すように、ハンドル３４ａが本体ブロック３０に取り付けられる。このように、ハンドル３４を取り付けるにあたっては、複数の第１規制片３１２ａの貫通孔３１２１と複数の第２規制片３１３ａの一対の貫通孔３１３１とから選択される一対の貫通孔に、一対の第１突起３４１３が挿入される。また、複数の規制突起３３９から選択される一対の規制突起３３９の後面に、一対の第２突起３４１４が当接される。
【００６８】
図１３に示すように、ハンドル３４ａとスイッチ２２ａとの間には、第１ばね片３３１ａが位置する。第１ばね片３３１ａは、その後面の突起３３１２で、スイッチ２２ａに接触する。一方、第１ばね片３３１ａは、その前面の一対の突起３３１１で、ハンドル３４ａの後面に接触する。また、ハンドル３４ａの後面には、復帰ばね３３３ａの突起３３３１が接触する。このように、ハンドル３４ａは、主にばねブロック３３の第１ばね片３３１ａによって、前方へ付勢される。一方、図１２に示すように、ハンドル３４ａの一対の第１突起３４１３が、第１規制片３１２又は第２規制片３１３の先端部分の後面に接触する。また、ハンドル３４ａの一対の第２突起３４１４の各々が、ばねブロック３３の規制突起３３９の後面に接触する。第１規制片３１２又は第２規制片３１３と規制突起３３９によって、ハンドル３４ａの前方への移動が規制される。換言すれば、第１規制片３１２又は第２規制片３１３が、ハンドル３４の第１端側の第１部位（第１突起３４１３）が後面に当たる複数の第１規制部を構成する。また、規制突起３３９がハンドル３４の第２端端の第２部位（第２突起３４１４）が後面に当たる第２規制部を構成する。
【００６９】
このようにして、ハンドル３４ａは、第１ばね片３３１ａによって、第１規制片３１２又は第２規制片３１３と規制突起３３９に押し当てられている。そのため、ハンドル３４ａの前面のどの部分を押しても、ハンドル３４ａを後方へ移動させることができる。ハンドル３４ａが後方へ移動すると、第１ばね片３３１ａがボディ３１側へ押圧され、これによって、スイッチ２２ａが押圧される。
【００７０】
複数のハンドル３４ａ〜３４ｈをボディ３１に取り付けることで、図３及び図４に示すような、本体ブロック３０が得られる。本体ブロック３０では、図１１に示すように、複数のハンドル３４ａ〜３４ｈが、複数のスイッチ２２ａ〜２２ｈの前方にそれぞれ配置される。さらに、複数の第１ばね片３３１ａ〜３３１ｈが複数のハンドル３４ａ〜３４ｈと複数のスイッチ２２ａ〜２２ｈとの間にそれぞれ配置される。なお、図１１では、複数のハンドル３４ａ〜３４ｈを２点鎖線で示している。
【００７１】
操作端末器２を造営材１００に取り付けるにあたっては、まず、取付枠５０を造営材１００に固定する。より詳細には、取付枠５０の一対の取付孔５１２を通してねじを造営材１００に埋め込まれた配線ボックスに挿入し、取付枠５０を配線ボックスに固定する。ここで、取付枠５０は、ボディ３１よりも固いから、ボディ３１を直接配線ボックスに取り付ける場合とは異なり、造営材１００への取付時のボディ３１の変形が抑制される。次に、本体ブロック３０を、予め造営材１００に固定しておいた取付枠５０に固定する作業を行う。この作業では、まず、図１４Ａに示すように、本体ブロック３０を取付枠５０の前方に配置する。このとき、本体ブロック３０の一対の突起３１１１が、取付枠５０の一対の空所５２１の前方に位置するようにおおまかに位置を合わせる。次に、本体ブロック３０を取付枠５０側に移動させて、ボディ３１の後側部分３１１を取付枠５０の開口５１１に挿入するとともに、一対の突起３１１１のそれぞれを、対応する空所５２１の第１通路５２１１に前端側から挿入する。そのまま本体ブロック３０を押し込んでいくと、取付枠５０の枠体５１の前面が、ボディ３１の前側部分３１０の後面に接触する。また、図１４Ｂに示すように、各突起３１１１は、空所５２１の第１通路５２１１の後端に位置する。この後に、各突起３１１１が空所５２１の第１通路５２１１から第２通路５２１２に移動するように、本体ブロック３０を取付枠５０に対して移動させる（図１４Ｂでは、本体ブロック３０を取付枠５０に対して下方に移動させる）。これによって、各突起３１１１が、第２通路５２１２の第２端に位置して、支持部５２によって支持される。つまり、取付枠５０の一対の支持部５２が、本体ブロック３０を一対の突起３１１１で支持する。そのため、本体ブロック３０を取付枠５０に仮固定できる。この後、固定ねじ３７３を、本体ブロック３０の貫通孔３１６３を通して、取付枠５０のねじ孔５１３に挿入する。これによって、本体ブロック３０が取付枠５０の前面に固定される。
【００７２】
この後、本体ブロック３０に、カバー４０を取り付ける。具体的には、本体ブロック３０の複数の第１結合部３１４（図５参照）にカバー４０の複数の第２結合部４３を引掛けることで、カバー４０を、本体ブロック３０の前面に取り付ける。これにより、図２Ａに示すように、複数のハンドル３４は、カバー４０の開口４１１より露出するが、通信部２５及び切替部２６はカバー４０により覆われる（隠される）。
【００７３】
（２−３）動作
次に、図１５Ａ及び図１５Ｂを参照して、複数のスイッチ２２にアドレスを対応付ける方法について説明する。初期状態では、図１５Ａに示すように、手動操作部２６１が第１切替位置にあるとする。
【００７４】
複数のスイッチ２２にアドレスを対応付けるには、設定器６を使用する。設定器６と操作端末器２との通信を可能にするため、まず、操作端末器２からカバー４０を外す。これによって、図１５Ａ及び図１５Ｂに示すように、通信部２５が露出する。また、切替部２６が露出する。周壁部３１７には操作孔３１７１が設けられているため、切替部２６の手動操作部２６１を操作する際に、周壁部３１７が邪魔になることが抑制されている。
【００７５】
まず、ユーザが設定器６を操作して開始信号を送信する。信号処理部２３は、通信部２５を通じて開始信号を受け取ると、設定対象に対応する表示素子２７０を点灯させる。手動操作部２６１が第１切替位置にあるから、４つのスイッチ２２ａ〜２２ｄが設定対象である。したがって、信号処理部２３は、図１５Ａに示すように、４つのスイッチ２２ａ〜２２ｄに対応する表示素子２７０ａ〜２７０ｄを点灯させ、４つのスイッチ２２ｅ〜２２ｈに対応する表示素子２７０ｅ〜２７０ｈを消灯する。これによって、４つのスイッチ２２ａ〜２２ｄに対応する４つのハンドル３４ａ〜３４ｄの一対の貫通孔３４１１から光が放射される。また、信号処理部２３は、設定対象の４つのスイッチ２２ａ〜２２ｄについてアドレスとの対応関係を示す状態信号を通信部２５から出力する。設定器６は、状態信号を受け取ると、状態信号が示す対応関係を設定器６のディスプレイに表示する。
【００７６】
４つのスイッチ２２ａ〜２２ｄについてアドレスを設定する場合、ユーザが設定器６を操作して４つのアドレスを設定して、設定信号を送信すればよい。信号処理部２３は、通信部２５を通じて設定信号を受け取ると、４つのスイッチ２２ａ〜２２ｄに４つのアドレスを順番に対応付ける。これによって、記憶部２４に記憶されている４つのスイッチ２２ａ〜２２ｄとアドレスとの対応関係が更新される。
【００７７】
一方、別の４つのスイッチ２２ｅ〜２２ｈについてアドレスを設定する場合、ユーザは、手動操作部２６１を第１切替位置から第２切替位置に移動させればよい。これによって、信号処理部２３は、４つのスイッチ２２ａ〜２２ｄではなく、４つのスイッチ２２ｅ〜２２ｈを設定対象として選択する。そして、ユーザが設定器６を操作して開始信号を送信すると、信号処理部２３は、開始信号に応答して、設定対象に対応する表示素子２７０を点灯させる。この場合、４つのスイッチ２２ｅ〜２２ｈが設定対象である。信号処理部２３は、図１５Ｂに示すように、４つのスイッチ２２ｅ〜２２ｈに対応する表示素子２７０ｅ〜２７０ｈを点灯させ、４つのスイッチ２２ａ〜２２ｄに対応する表示素子２７０ａ〜２７０ｄを消灯する。これによって、４つのスイッチ２２ｅ〜２２ｈに対応する４つのハンドル３４ｅ〜３４ｈの一対の貫通孔３４１１から光が放射される。また、信号処理部２３は、設定対象の４つのスイッチ２２ｅ〜２２ｈについてアドレスとの対応関係を示す状態信号を通信部２５から出力する。設定器６は、状態信号を受け取ると、状態信号が示す対応関係を設定器６のディスプレイに表示する。この後に、ユーザが設定器６を操作して４つのアドレスを設定して、設定信号を送信すると、信号処理部２３は、４つのスイッチ２２ｅ〜２２ｈに４つのアドレスを順番に対応付ける。これによって、記憶部２４に記憶されている４つのスイッチ２２ｅ〜２２ｈとアドレスとの対応関係が更新される。
【００７８】
このように、操作端末器２では、切替部２６の手動操作部２６１によって、設定対象のスイッチを変更できる。そのため、通信部２５を複数用意する必要がない。したがって、ユーザが設定器６によりアドレスを設定する際に、どの通信部２５に設定信号を送ればよいのかを迷わなくて済む。また、したがって、複数のスイッチ２２にアドレスを対応付ける作業を容易に行える。
【００７９】
（２−４）まとめ
以上述べたように、操作端末器２では、切替部２６の手動操作部２６１によって、設定対象のスイッチを変更できる。そのため、スイッチ２２の数が設定器６で一度に設定可能なアドレスの数より多い場合でも、通信部２５を複数用意する必要がない。したがって、ユーザが設定器６によりアドレスを設定する際に、どの通信部２５に設定信号を送ればよいのかを迷わなくて済む。また、通信部２５が一つであるから、設定器６から通信部２５に送った設定信号が別の通信部で受信されてしまう可能性がない。したがって、複数のスイッチ２２にアドレスを対応付ける作業を容易に行える。
【００８０】
ここで、特開２００６−９４４５２号公報は、操作スイッチ配線器具（操作端末器）を開示する。操作スイッチ配線器具は、リレーのアドレスに対応付けたアドレスが個別に割り当てられる８つの操作スイッチ（スイッチ）を有する。また、操作スイッチ配線器具は、各操作スイッチの操作に応じた操作情報と操作された操作スイッチのアドレスとを含む伝送信号（操作信号）を信号線に送出する信号処理部を収納している。８つの操作スイッチと信号処理部は、ボディとカバーとで構成される器体に収納されている。カバーには、操作スイッチに対向する部位に各操作スイッチの操作子に被せられる操作ボタンが前後方向に移動自在に取り付けられている。特開２００６−９４４５２号公報では、操作スイッチ配線器具の操作スイッチの数を増減させることは考慮されていなかった。そのため、操作スイッチの数が異なる操作スイッチ配線器具を製造する場合には、全体的な製造コストが増加する可能性がある。
【００８１】
これに対して、操作端末器２では、ばねブロック３３が、複数の主ばね片（本実施形態では第１ばね片３３１）に加えて、複数の副ばね片（本実施形態では第２ばね片３３２）を有している。そのため、同一のばねブロック３３を、スイッチの数が異なる操作端末器２に使用できる。そのため、スイッチの数が異なる操作端末器２を製造する場合に、製造コストの低減を図ることができる。
【００８２】
また、特開２００６−９４４５２号公報では、ボディの上下両側面の前縁からは取付片が上下両側に延出しており、各取付片には施工面（造営材）に埋設された埋込ボックス（配線ボックス）にねじ止めするためのボックスねじを挿通する長孔が設けられている。ここで、ボディを埋込ボックスにねじ止めする際に、ボックスねじが強く締め付けられると、ボディに負荷がかかり、ボディが変形する場合がある。このようにボディが変形すると、ボディにカバーや化粧プレート等を取り付け難くなる可能性がある。
【００８３】
これに対して、操作端末器２では、ボディ３１は、ボディ３１より固い材料で形成される取付枠５０を用いて、造営材１００に固定される。そのため、ボディ３１を直接配線ボックスに取り付ける場合とは異なり、造営材１００への取付時のボディ３１の変形が抑制される。また、取付枠５０の一対の支持部５２が、本体ブロック３０（ボディ３１）を一対の突起３１１１で支持する。そのため、ボディ３１を取付枠５０に仮固定できる。したがって、操作端末器２を造営材１００に固定する作業が容易に行える。
【００８４】
１．２  実施形態２
図１６Ａ及び図１６Ｂは、本実施形態の操作端末器２Ａの外観図（斜視図）を示す。操作端末器２Ａは、主に、ハンドル及びスイッチの数が、操作端末器２とは異なる。
【００８５】
以下、操作端末器２Ａについてさらに詳細に説明する。本実施形態の操作端末器２Ａは、図１６Ａ及び図１６Ｂに示すように、本体ブロック３０Ａと、カバー４０と、取付枠５０と、を備える。
【００８６】
本体ブロック３０Ａは、本体ブロック３０と同様であるが、回路ブロック３２の代わりに、回路ブロック３２Ａを備える。また、本体ブロック３０Ａは、本体ブロック３０と同様であるが、４つのハンドル３４（３４ｉ〜３４ｌ）を備える。つまり、ボディ３１、ばねブロック３３、保護シート３５、保護カバー３６、一対の第１取付ねじ３７１、一対の第２取付ねじ３７２、固定ねじ３７３、及び一対の端子３８は、本体ブロック３０Ａと本体ブロック３０とで共通に使用されている。なお、図１７では、単に図面の簡略化のためだけに、保護シート３５及び保護カバー３６が省略されている。
【００８７】
回路ブロック３２Ａは、回路ブロック３２とは異なり、４つのスイッチ２２（２２ｉ〜２２ｌ）を有する。４つのスイッチ２２ｉ〜２２ｌは、基板３２０の前面に実装される。４つのスイッチ２２ｉ〜２２ｌは、所定方向に並ぶ複数の列を構成するように並んでいる。より詳細には、４つのスイッチ２２ｉ〜２２ｌは、基板３２０の幅方向（図１７の左右方向）に並ぶ２つの列を構成する。２つの列の一方は、２つのスイッチ２２ｉ，２２ｊが基板３２０の長さ方向（図１７の上下方向）に並んだ列であり、他方は、２つのスイッチ２２ｋ，２２ｌが基板３２０の長さ方向（図１７の上下方向）に並んだ列である。なお、本実施形態において、切替部２６の第１切替位置と第２切替位置とは、２つのスイッチ２２ｉ，２２ｊの列と２つのスイッチ２２ｋ，２２ｌの列とが並ぶ方向において、異なる位置である。
【００８８】
表示部２７は、複数対（本実施形態では４対）の表示素子２７０（２７０ｉ〜２７０ｌ）を含む。一対の表示素子２７０ｉはスイッチ２２ｉに、一対の表示素子２７０ｊはスイッチ２２ｊ、一対の表示素子２７０ｋはスイッチ２２ｋ、一対の表示素子２７０ｌはスイッチ２２ｌに対応する。
【００８９】
また、信号処理部２３は、実施形態１と同様に、手動操作部２６１の位置に応じて複数のスイッチ２２から選択した設定対象に、通信部２５から受け取った設定信号で指定されたアドレスを対応付けるように構成される。信号処理部２３は、手動操作部２６１が第１切替位置にある場合、複数のスイッチ２２から、４つのスイッチ２２ｉ，２２ｊを設定対象として選択するように構成される。また、信号処理部２３は、手動操作部２６１が第２切替位置にある場合、複数のスイッチ２２から、別の２つのスイッチ２２ｋ，２２ｌを設定対象として選択するように構成される。信号処理部２３は、複数のスイッチ２２から、設定対象として、２つのスイッチ２２ｉ，２２ｊの列と２つのスイッチ２２ｋ．２２ｌの列とのいずれかを選択する。上述したように、第１切替位置は、基板３２０の幅方向の第１端側（図１７の左端側）の位置であり、第２切替位置は、基板３２０の幅方向の第２端側（図１７の右端側）の位置である。つまり、複数の切替位置の各々は、複数の列のうち、所定方向における順番が同じ列に対応付けられている。そのため、ユーザが直感的に設定対象を切替部２６で選択することが可能になる。
【００９０】
信号処理部２３は、通信部２５を通じて設定器６から設定信号を受け取ると、設定対象として選択しているスイッチ２２に、設定信号で指定されたアドレスを対応付ける。これによって、記憶部２４に記憶されている対応関係を更新する。設定信号は、例えば、２つのアドレスを含む。信号処理部２３は、手動操作部２６１が第１切替位置にある場合、２つのスイッチ２２ｉ，２２ｊを設定対象として選択するから、設定信号を受け取ると、２つのスイッチ２２ｉ，２２ｊに２つのアドレスを順番に対応付ける。また、信号処理部２３は、手動操作部２６１が第２切替位置にある場合、２つのスイッチ２２ｋ，２２ｌを設定対象として選択するから、設定信号を受け取ると、２つのスイッチ２２ｋ，２２ｌに２つのアドレスを順番に対応付ける。また、信号処理部２３は、表示部２７により、複数のスイッチ２２から選択された設定対象を示すように構成される。信号処理部２３は、通信部２５を通じて設定器６からアドレス設定を開始する旨の開始信号を受け取ると、設定対象に対応する表示素子２７０を点灯させるように構成される。これにより、表示部２７は、複数のスイッチ２２から選択された設定対象を示す。この構成によれば、信号処理部２３は、設定対象をユーザに知らせることができる。なお、信号処理部２３は、切替部２６の手動操作部２６１の位置が変更された際に、設定対象に対応する表示素子２７０を点灯させてもよい。
【００９１】
４つのハンドル３４ｉ〜３４ｌは、４つのスイッチ２２ｉ〜２２ｌをユーザが操作するために設けられる。４つのハンドル３４ｉ〜３４ｌは、いずれも同じ形状である。４つのハンドル３４ｉ〜３４ｌの各々は、幅方向の大きさが、実施形態１の８つのハンドル３４ａ〜３４ｈの各々の約２倍の大きさである点で相違している。つまり、ハンドル３４ｉ〜３４ｌは、概ねハンドル３４ａ〜３４ｈを幅方向に２つ並べた大きさである。４つのハンドル３４ｉ〜３４ｌは、４つのスイッチ２２ｉ〜２２ｌと同様に、所定方向に並ぶ複数の列を構成するように並んでいる。より詳細には、４つのハンドル３４ｉ〜３４ｌは、前側部分３１０の前面の第１方向（図１７の左右方向）に並ぶ２つの列を構成する。２つの列の一方は、２つのハンドル３４ｉ，３４ｊが前側部分３１０の前面の第２方向（図１７の上下方向）に並んだ列であり、他方は、２つのハンドル３４ｋ，３４ｌが前側部分３１０の前面の第２方向（図１７の上下方向）に並んだ列である。
【００９２】
４つのハンドル３４ｉ〜３４ｌはいずれも実施形態１で述べたハンドル３４ａの取り付け方法と同様の方法で本体ブロック３０Ａに取り付けられる。特に、本実施形態の場合、ハンドル３４ｉを取り付けるにあたっては、第２規制片３１３ａの一対の貫通孔３１３１に一対の第１突起３４１３が挿入され、復帰ばね３３３ａ，３３３ｂ間の一対の規制突起３３９の後面に一対の第２突起３４１４が当接される。同様に、ハンドル３４ｊを取り付けるにあたっては、第２規制片３１３ｃの一対の貫通孔３１３１に一対の第１突起３４１３が挿入され、復帰ばね３３３ｃ，３３３ｄ間の一対の規制突起３３９の後面に一対の第２突起３４１４が当接される。ハンドル３４ｋを取り付けるにあたっては、第２規制片３１３ｄの一対の貫通孔３１３１に一対の第１突起３４１３が挿入され、復帰ばね３３３ｅ，３３３ｆ間の一対の規制突起３３９の後面に一対の第２突起３４１４が当接される。ハンドル３４ｌを取り付けるにあたっては、第２規制片３１３ｆの一対の貫通孔３１３１に一対の第１突起３４１３が挿入され、復帰ばね３３３ｇ，３３３ｈ間の一対の規制突起３３９の後面に一対の第２突起３４１４が当接される。
【００９３】
本実施形態では、ハンドル３４ｉとスイッチ２２ｉとの間には、第２ばね片３３２ａが位置する。第２ばね片３３２ａは、その後面の突起３３２２で、スイッチ２２ｉに接触する。一方、第２ばね片３３２ａは、その前面の一対の突起３３２１で、ハンドル３４ｉの後面に接触する。また、ハンドル３４ｉの後面には、復帰ばね３３３ａ，３３３ｂの突起３３３１が接触する。このように、ハンドル３４ｉは、主にばねブロック３３の第２ばね片３３２ａによって、前方へ付勢される。一方、ハンドル３４ｉの一対の第１突起３４１３が、第２規制片３１３ａの先端部分の後面に接触する。また、ハンドル３４ｉの一対の第２突起３４１４の各々が、ばねブロック３３の規制突起３３９の後面に接触する。第２規制片３１３と規制突起３３９によって、ハンドル３４ｉの前方への移動が規制される。これによって、ハンドル３４ｉは、第２ばね片３３２ａによって、第２規制片３１３と規制突起３３９に押し当てられている。そのため、ハンドル３４ｉの前面のどの部分を押しても、ハンドル３４ｉを後方へ移動させることができる。ハンドル３４ｉが後方へ移動すると、第２ばね片３３２ａがボディ３１側へ押圧され、これによって、スイッチ２２ｉが押圧される。
【００９４】
ばねブロック３３は、実施形態１と同じ構造である。ただし、本実施形態では、基板３２０には、８つのスイッチ２２ａ〜２２ｈの代わりに４つのスイッチ２２ｉ〜２２ｌが実装されている。ここで、４つのスイッチ２２ｉ〜２２ｌは、４つの第２ばね片３３２ａ〜３３２ｄの後方に、それぞれ位置する。そのため、本実施形態では、実施形態１とは異なり、複数の第２ばね片３３２が、複数のハンドル３４と複数のスイッチ２２との間にそれぞれ位置して複数のハンドル３４を前方に付勢する複数の主ばね片を構成する。一方で、複数の第１ばね片３３１が、複数のスイッチ２２のいずれとも重ならない複数の副ばね片を構成する。また、本実施形態では、基板３２０には、１６つの表示素子２７０の代わりに８つの表示素子２７０が実装されている。ここで、８つの表示素子２７０は、基板３２０において、ばねブロック３３の８つの第２窓孔３３５２にそれぞれ対応する位置に実装されている。換言すれば、ばねブロック３３の複数の窓孔３３５は、複数（本実施形態では１６つ）の第１窓孔３３５１と、複数（本実施形態では８つ）の第２窓孔３３５２と、を含む。ここで、１６つの第１窓孔３３５１は、表示素子２７０ｉ〜２７０ｌと対応しない位置に形成される。８つの第２窓孔３３５２は、表示素子２７０ｉ〜２７０ｌとそれぞれ対応する位置に形成される。
【００９５】
つまり、ばねブロック３３の複数の第２ばね片３３２及び複数の第２窓孔３３５２は、実施形態１では実質的に使用されていなかったが、本実施形態では使用されている。逆に、ばねブロック３３の複数の第１ばね片３３１及び複数の第１窓孔３３５１は、実施形態１では使用されていたが、本実施形態では実質的には使用されていない。このように、ばねブロック３３は、ハンドル３４及びスイッチ２２の数が異なる操作端末器２と操作端末器２Ａとのいずれにも用いることができる。したがって、ばねブロック３３を利用することで、スイッチの数が異なる操作端末器２，２Ａを製造する場合に、製造コストの低減を図ることができる。
【００９６】
２．変形例
以上説明した実施形態１，２は、本発明の様々な実施形態のあり得る例に過ぎない。また、上記実施形態は、本発明の目的を達成できれば、設計等に応じて種々の変更が可能である。以下に、上記実施形態１，２の変形例を列挙する。
【００９７】
例えば、本体ブロック３０（３０Ａ）において、保護シート３５と、保護カバー３６とは必須ではない。また、一対の第１取付ねじ３７１と、一対の第２取付ねじ３７２は、ばねブロック３３をボディ３１の固定する方法によっては、不要である。例えば、ばねブロック３３はボディ３１に、ばねブロック３３とボディ３１との一方の突起を他方の凹部に嵌めることで、固定されてもよい。また、一対の端子３８は、ねじ端子に限定されない。端子３８は、いわゆる速結端子であってもよいし、その他のコネクタであってもよい。
【００９８】
例えば、ボディ３１は、必ずしも、前側部分３１０と、後側部分３１１とを有していなくてもよい。また、前側部分３１０は、四辺形（矩形又は正方形）の板状でなくてもよく、円形状やその他の多角形状であってもよい。また、後側部分３１１は、必ずしも中空の矩形の箱状でなくてもよい。ボディ３１は、少なくとも、前面に、複数のスイッチ２２及び信号処理部２３が取り付けられる構造であればよい。
【００９９】
例えば、回路ブロック３２では、スイッチ２２の数は２以上であれば特に限定されない。また、スイッチ２２は、タクトスイッチに限定されず、その他のスイッチであってもよい。
【０１００】
また、実施形態１では、信号処理部２３は、２以上のスイッチ２２を設定対象として選択するが、１つのスイッチ２２だけを設定対象として選択してもよい。また、信号処理部２３は、必ずしも、一列のスイッチ２２を設定対象として選択しなくてもよい。例えば、実施形態１において、信号処理部２３は、手動操作部２６１が第１切替位置にある場合に、スイッチ２２ａ，２２ｂ，２２ｃ，２２ｄ，２２ｈを設定対象として選択してもよい。この場合、信号処理部２３は、手動操作部２６１が第２切替位置にある場合に、残りのスイッチ２２ｅ，２２ｆ，２２ｇを設定対象として選択してもよい。つまり、複数のスイッチ２２は、設定対象となる２以上のグループに分類されていてもよい。ここで、各グループは、少なくとも一つのスイッチ２２を含んでいればよい。
【０１０１】
また、通信部２５は、受光部２５２を有していればよく、発光部２５１は必須ではない。つまり、通信部２５は、少なくとも設定信号を受信することができればよい。また、通信部２５は、赤外線以外を媒体とする無線通信（例えば光通信）を行うように構成されていてもよい。あるいは、通信部２５は、有線通信により設定信号を受信するように構成されていればよい。この場合、通信部２５は、例えば、通信線を接続可能なコネクタ（ＵＳＢコネクタや、ＬＡＮケーブルのコネクタ）であってよい。
【０１０２】
切替部２６は、スライドスイッチに限定されず、ロータリスイッチなどであってもよい。要するに、切替部２６は、手動操作部２６１が複数の切替位置の間で移動可能であればよい。また、切替位置の数は２つに限定されず、２以上であればよい。
【０１０３】
表示部２７は、スイッチ２２毎に、一対の表示素子２７０を有しているが、一つにスイッチ２２に対応する表示素子２７０の数は１つでもよいし、３以上であってもよい。
【０１０４】
例えば、ばねブロック３３において、複数のばね片（第１ばね片３３１及び第２ばね片３３２）の数は特に限定されない。複数のばね片（第１ばね片３３１及び第２ばね片３３２）の数は、想定するスイッチの数によって適宜決定され得る。例えば、上述のばねブロック３３は、少なくとも、８つのスイッチ２２を有する操作端末器２と、４つのスイッチ２２を有する操作端末器２Ａとに用いることができるように、８つの第１ばね片３３１と、４つの第２ばね片３３２とを有している。
【０１０５】
上記実施形態１では、ばねブロック３３が複数の軸部３１５を有し、ボディ３１が複数の複数の軸受部３３６を有している。逆に、ボディ３１が複数の軸部を有し、ばねブロック３３が複数の軸部を回転自在に支持する複数の複数の軸受部を有していてもよい。
【０１０６】
例えば、ハンドル３４において、ハンドルカバー３４２は必須ではなく、ハンドル本体３４１が単独で用いられてもよい。この場合、ハンドル本体３４１は、凹部３４１６を有していなくてもよい。なお、実施形態１では、ボディ３１が、ハンドル３４の第１端側の第１部位（第１突起３４１３）が後面に当たる複数の第１規制部（第１規制片３１２及び第２規制片３１３）を有している。このような第１規制部は、ばねブロック３３に設けられていてもよい。また、実施形態１では、ばねブロック３３が、ハンドル３４の第２端側の第２部位（第２突起３４１４）が後面に当たる第２規制部（規制突起３３９）を有している。このような第２規制部は、ボディ３１に設けられていてもよい。要するに、ボディ３１とばねブロック３３との一方が第１規制部と第２規制部との少なくとも一方を有していればよい。あるいは、ハンドル３４は、一端で回動自在に、ボディ３１又はばねブロック３３に取り付けられていてもよい。
【０１０７】
また、操作端末器２は、必ずしも、カバー４０と、取付枠５０と、を備えていなくてもよい。なお、カバー４０は、樹脂製ではなく金属製であってもよい。また、取付枠５０は、金属製ではなく、樹脂製であってもよい。ただし、取付枠５０は、ボディ３１より硬い材料で形成されていることが好ましい。また、取付枠５０において、空所５２１は、第１通路５２１１と第２通路５２１２とを有しているが、直線状又は曲線状の通路であってもよい。この場合、空所５２１は、前端と後端とが、取付枠５０の前後方向に交差する方向（例えば、図１４Ｃの上下方向）において、異なる位置であることが好ましい。これにより、ボディ３１が取付枠５０に仮固定された状態が維持され易くなる。なお、空所５２１は、必ずしも、支持部５２をその厚み方向に貫通している必要はなく、突起３１１１が挿入可能な溝であってもよい。あるいは、空所５２１は、突起３１１１が嵌る凹部又は貫通孔であってもよい。この場合、一対の支持部５２は互いに離れる方向に撓むように形成されていることが好ましい。
【０１０８】
３．態様
以上説明した実施形態１，２及び変形例によれば、複数のスイッチにアドレスを対応付ける作業を容易に行える。この観点からすれば、本発明に係る第１の態様の操作端末器（２，２Ａ）は、複数のスイッチ（２２）と、信号処理部（２３）と、通信部（２５）と、切替部（２６）と、を備える。前記信号処理部（２３）は、前記複数のスイッチ（２２）のいずれかのスイッチ（２２）が操作されると、操作されたスイッチ（２２）に対応するアドレスを含む操作信号を出力するように構成される。前記通信部（２５）は、前記複数のスイッチ（２２）から選択される設定対象に対応付けるアドレスを指定する設定信号を受け取るように構成される。前記切替部（２６）と、複数の切替位置の間で移動可能な手動操作部（２６１）を有する。前記信号処理部（２３）は、前記手動操作部（２６１）の位置に応じて前記複数のスイッチ（２２）から選択した前記設定対象に、前記通信部（２５）から受け取った前記設定信号で指定されたアドレスを対応付けるように構成される。
【０１０９】
第２の態様の操作端末器（２，２Ａ）は、第１の態様との組み合わせにより実現され得る。第２の態様では、前記操作端末器（２，２Ａ）は、前記複数のスイッチ（２２）から選択された前記設定対象を示す表示部（２７）をさらに備える。第２の態様によれば、ユーザが設定対象を容易に知ることができる。
【０１１０】
第３の態様の操作端末器（２，２Ａ）は、第１又は第２の態様との組み合わせにより実現され得る。第３の態様では、前記信号処理部（２３）は、前記手動操作部（２６１）の位置に応じて、前記複数のスイッチ（２２）から２以上のスイッチ（２２）を前記設定対象として選択するように構成される。第３の態様によれば、２以上のスイッチのアドレスを一括して設定できる。
【０１１１】
第４の態様の操作端末器（２，２Ａ）は、第３の態様との組み合わせにより実現され得る。第４の態様では、前記複数のスイッチ（２２）は、所定方向に並ぶ複数の列を構成するように並ぶ。前記複数の切替位置は、少なくとも前記所定方向において異なる位置である。前記複数の切替位置の各々は、前記複数の列のうち、前記所定方向における順番が同じ列に対応付けられる。第４の態様によれば、ユーザが設定対象を直感的な操作で選択できる。
【０１１２】
第５の態様の操作端末器（２，２Ａ）は、第１〜第４の態様のいずれか一つとの組み合わせにより実現され得る。第５の態様では、前記操作端末器（２，２Ａ）は、ボディ（３１）と、カバー（４０）と、を更に備える。前記ボディ（３１）は、前面に、前記複数のスイッチ（２２）、前記通信部（２５）、前記信号処理部（２３）、及び前記切替部（２６）が取り付けられる。前記カバー（４０）は、少なくとも前記通信部（２５）及び前記切替部（２６）を覆うように前記ボディ（３１）の前記前面に取り付けられる。第５の態様によれば、通常は、カバー（４０）により通信部（２５）及び切替部（２６）が隠されているから、意図せずにアドレス設定が行われてしまう可能性を低減できる。
【０１１３】
第６の態様の操作端末器（２，２Ａ）は、第１〜第５の態様のいずれか一つとの組み合わせにより実現され得る。第６の態様では、前記通信部（２５）は、赤外線を媒体として前記設定信号を受け取る受光部（２５２）を有する。第６の態様によれば、アドレスの設定を容易に行える。
【０１１４】
第７の態様の操作端末器（２，２Ａ）は、第１〜第４の態様のいずれか一つとの組み合わせにより実現され得る。第７の態様では、前記操作端末器（２，２Ａ）は、ボディ（３１）と、複数のハンドル（３４）と、ばねブロック（３３）と、を更に備える。前記ボディ（３１）は、前面に、前記複数のスイッチ（２２）、前記通信部（２５）、前記信号処理部（２３）、及び前記切替部（２６）が取り付けられる。前記複数のハンドル（３４）は、前記複数のスイッチ（２２）の前方にそれぞれ配置され前記ボディ（３１）に対して前後方向に移動可能である。前記ばねブロック（３３）は、前記ボディ（３１）に固定される。前記ばねブロック（３３）は、複数のばね片（３３１，３３２）を含む。前記複数のばね片（３３１，３３２）は、複数の主ばね片と、複数の副ばね片と、を含む。前記複数の主ばね片は、前記複数のハンドル（３４）と前記複数のスイッチ（２２）との間にそれぞれ位置して前記複数のハンドル（３４）を前方に付勢する。前記複数の副ばね片は、前記複数のスイッチのいずれとも重ならない。前記複数の副ばね片の各々は、前記複数の主ばね片のいずれかの隣に位置し、隣の主ばね片と同じ方向に突出する。
【０１１５】
第７の態様によれば、スイッチの数が異なる操作端末器を製造する場合に、製造コストの低減を図ることができる。この観点からすれば、第７の態様は、通信部（２５）及び切替部（２６）を備えていなくてもよい。換言すれば、本発明に係る第７の態様の操作端末器（２，２Ａ）は、複数のスイッチ（２２）と、信号処理部（２３）と、ボディ（３１）と、複数のハンドル（３４）と、ばねブロック（３３）と、備える。前記信号処理部（２３）は、前記複数のスイッチ（２２）のいずれかのスイッチ（２２）が操作されると、操作されたスイッチ（２２）に対応するアドレスを含む操作信号を出力するように構成される。前記ボディ（３１）は、前面に、前記複数のスイッチ（２２）、及び前記信号処理部（２３）が取り付けられる。前記複数のハンドル（３４）は、前記複数のスイッチ（２２）の前方にそれぞれ配置され前記ボディ（３１）に対して前後方向に移動可能である。前記ばねブロック（３３）は、前記ボディ（３１）に固定される。前記ばねブロック（３３）は、複数のばね片（３３１，３３２）を含む。前記複数のばね片（３３１，３３２）は、複数の主ばね片と、複数の副ばね片と、を含む。前記複数の主ばね片は、前記複数のハンドル（３４）と前記複数のスイッチ（２２）との間にそれぞれ位置して前記複数のハンドル（３４）を前方に付勢する。前記複数の副ばね片は、前記複数のスイッチのいずれとも重ならない。前記複数の副ばね片の各々は、前記複数の主ばね片のいずれかの隣に位置し、隣の主ばね片と同じ方向に突出する。
【０１１６】
第８の態様の操作端末器（２，２Ａ）は、第７の態様との組み合わせにより実現され得る。第８の態様では、前記ボディ（３１）と前記ばねブロック（３３）との少なくとも一方は、前記複数のハンドル（３４）の各々の第１端側の第１部位（第１突起３４１３）がそれぞれ後面に当たる複数の第１規制部（３１２，３１３）を有する。前記ボディ（３１）と前記ばねブロック（３３）との少なくとも一方は、前記複数のハンドル（３４）の各々の第２端端の第２部位（第２突起３４１４）がそれぞれ後面に当たる複数の第２規制部（３３９）を有する。第８の態様によれば、ハンドル（３４）が一端でボディ（３１）又はばねブロック（３３）に固定される場合とは異なり、ハンドル（３４）の前面のどの部分を押圧しても、対応するスイッチ（２２）を操作できる。
【０１１７】
第９の態様の操作端末器（２，２Ａ）は、第７又は第８の態様との組み合わせにより実現され得る。第９の態様では、前記ばねブロック（３３）は、一端で、前記ボディ（３１）に、前記ボディ（３１）の前後方向に直交する方向の回りに、互いに異なる第１位置と第２位置との間で、回転可能に、取り付けられる。前記第１位置は、前記ばねブロック（３３）を前記ボディ（３１）から取り外し可能な位置である。前記第２位置は、前記ばねブロック（３３）が前記ボディ（３１）に対する規定位置にある位置である。第９の態様によれば、ばねブロック（３３）をボディ（３１）に取り付ける作業が容易になる。
【０１１８】
第１０の態様の操作端末器（２，２Ａ）は、第１〜第４の態様のいずれか一つとの組み合わせにより実現され得る。第１０の態様では、前記操作端末器（２，２Ａ）は、ボディ（３１）と、取付枠（５０）と、を更に備える。前記ボディ（３１）は、前面に、前記複数のスイッチ（２２）、前記通信部（２５）、前記信号処理部（２３）、及び前記切替部（２６）が取り付けられる。前記取付枠（５０）は、造営材（１００）に固定され前記ボディ（３１）より固い材料で形成される。前記ボディ（３１）は、前記ボディ（３１）をその前後方向に貫通する貫通孔（３１６３）と、前記前後方向に交差する規定方向の両側から突出する一対の突起（３１１１）と、を有する。前記取付枠（５０）は、前記貫通孔（３１６３）に対応するねじ孔（５１３）と、前記一対の突起（３１１１）をそれぞれ支持する一対の支持部（５２）と、を有する。
【０１１９】
第１０の態様によれば、造営材への取付時のボディの変形が抑制される。この観点からすれば、第１０の態様は、通信部（２５）及び切替部（２６）を備えていなくてもよい。換言すれば、本発明に係る第１０の態様の操作端末器（２，２Ａ）は、複数のスイッチ（２２）と、信号処理部（２３）と、ボディ（３１）と、取付枠（５０）と、備える。前記信号処理部（２３）は、前記複数のスイッチ（２２）のいずれかのスイッチ（２２）が操作されると、操作されたスイッチ（２２）に対応するアドレスを含む操作信号を出力するように構成される。前記ボディ（３１）は、前面に、前記複数のスイッチ（２２）、及び前記信号処理部（２３）が取り付けられる。前記取付枠（５０）は、造営材（１００）に固定され前記ボディ（３１）より固い材料で形成される。前記ボディ（３１）は、前記ボディ（３１）をその前後方向に貫通する貫通孔（３１６３）と、前記前後方向に交差する規定方向の両側から突出する一対の突起（３１１１）と、を有する。前記取付枠（５０）は、前記貫通孔（３１６３）に対応するねじ孔（５１３）と、前記一対の突起（３１１１）をそれぞれ支持する一対の支持部（５２）と、を有する。
【０１２０】
第１１の態様の操作端末器（２，２Ａ）は、第１０の態様との組み合わせにより実現され得る。第１１の態様では、前記一対の支持部（５２）の各々は、前記一対の突起（３１１１）のうちの対応するほうが挿入される空所（５２１）を有する。第１１の態様によれば、一対の支持部（５２）の空所に（５２１）に一対の突起（３１１１）を挿入するだけでボディ（３１）を取付枠（５０）に仮固定できるから、仮固定を容易に行える。
【０１２１】
第１２の態様の操作端末器（２，２Ａ）は、第１１の態様との組み合わせにより実現され得る。第１２の態様では、前記空所（５２１）は、第１通路（５２１１）と、第２通路（５２１２）とを有する。前記第１通路（５２１１）は、前記ボディ（３１）の前後方向に延び、前端が開放されている。前記第２通路（５２１２）は、前記ボディ（３１）の前後方向及び前記規定方向に交差する方向に延びる。前記第２通路（５２１２）は、第１端で前記第１通路（５２１１）に連結され、第２端が閉じている。第１２の態様によれば、空所（５２１）が直線的な通路である場合に比べれば、取付枠（５０）に仮固定されたボディ（３１）が取付枠（５０）から外れる可能性を低減できる。
【符号の説明】
【０１２２】
２，２Ａ  操作端末器
２２  スイッチ
２３  信号処理部
２５  通信部
２５２  受光部
２６  切替部
２６１  手動操作部
２７  表示部
３１  ボディ
３１２  第１規制片（第１規制部）
３１３  第２規制片（第１規制部）
３１１１  突起
３１６３  貫通孔
３３  ばねブロック
３３１  第１ばね片（ばね片）
３３２  第２ばね片（ばね片）
３３９  規制突起（第２規制部）
３４  ハンドル
４０  カバー
５０  取付枠
５１３  ねじ孔
５２  支持部
５２１  空所
５２１１  第１通路
５２１２  第２通路
１００  造営材
【図１】
2018182704.tif 000003
【図２】
2018182704.tif 000004
【図３】
2018182704.tif 000005
【図４】
2018182704.tif 000006
【図５】
2018182704.tif 000007
【図６】
2018182704.tif 000008
【図７】
2018182704.tif 000009
【図８】
2018182704.tif 000010
【図９】
2018182704.tif 000011
【図１０】
2018182704.tif 000012
【図１１】
2018182704.tif 000013
【図１２】
2018182704.tif 000014
【図１３】
2018182704.tif 000015
【図１４】
2018182704.tif 000016
【図１５】
2018182704.tif 000017
【図１６】
2018182704.tif 000018
【図１７】
2018182704.tif 000019